(57)【要約】【課題】カラーシフト現象を効率に解消して、TFT-LCDの画面品質を向上させる。【解決手段】本発明は液晶ディスプレー駆動装置と駆動方法に関する。液晶ディスプレー駆動装置は、ガンマ参考電圧を受信するための電圧入力モジュールと、電圧入力モジュールに接続されて、一つの抵抗チェーンによって、ガンマ参考電圧と駆動される画素の色に基づいて対応する色の画素駆動電圧を生成するための電圧生成モジュールと、電圧生成モジュールに接続されて、対応する色の画素駆動電圧を液晶パネルに送信するための電圧出力モジュールと、を備える。本発明は、三つの色の画素駆動電圧をそれぞれ生成する電圧生成ユニットが一つの抵抗チェーンに設置され、マルチチャンネルセレクターが駆動される画素の色に基づいて対応する電圧生成ユニットを選択することによって、対応する電圧生成ユニットに画素駆動電圧を電圧出力モジュールに対して出力させる。【選択図】図１
2009251616.tif 000002
【特許請求の範囲】
【請求項１】
ガンマ参考電圧を受信するための電圧入力モジュールと、
前記電圧入力モジュールに接続されて、一つの抵抗チェーンによって、ガンマ参考電圧と駆動される画素の色に基づいて対応する色の画素駆動電圧を生成するための電圧生成モジュールと、
前記電圧生成モジュールに接続されて、前記対応する色の画素駆動電圧を液晶パネルに送信するための電圧出力モジュールと、
を具備することを特徴とする液晶ディスプレー駆動装置。
【請求項２】
前記電圧生成モジュールは、
複数の抵抗を直列接続して構成され、入力端が前記電圧入力モジュールに接続される一つの抵抗チェーンと、
前記抵抗チェーンに設置され、ガンマ参考電圧に基づいて赤色画素駆動電圧を生成するための赤色画素電圧生成ユニットと、
前記抵抗チェーンに設置され、ガンマ参考電圧に基づいて緑色画素駆動電圧を生成するための緑色画素電圧生成ユニットと、
前記抵抗チェーンに設置され、ガンマ参考電圧に基づいて青色画素駆動電圧を生成するための青色画素電圧生成ユニットと、
入力端が駆動される色の信号を受信し、出力端が前記赤色画素電圧生成ユニット、前記緑色画素電圧生成ユニット及び前記青色画素電圧生成ユニットにそれぞれ接続され、駆動される画素の色に基づいて、対応する赤色画素電圧生成ユニット、又は緑色画素電圧生成ユニット、又は青色画素電圧生成ユニットをストローブさせて、対応する電圧生成ユニットに、対応する色の画素駆動電圧を前記電圧出力モジュールによって液晶パネルに送信するためのマルチチャンネルセレクターと、
を具備することを特徴とする請求項１に記載の液晶ディスプレー駆動装置。
【請求項３】
前記赤色画素電圧生成ユニットは、複数の赤色画素電圧生成サブユニットを含み、各赤色画素電圧生成サブユニットのそれぞれがガンマ参照電圧に対応する一つの赤色画素駆動電圧を生成することを特徴とする請求項２に記載の液晶ディスプレー駆動装置。
【請求項４】
前記緑色画素電圧生成ユニットは、複数の緑色画素電圧生成サブユニットを含み、各緑色画素電圧生成サブユニットのそれぞれがガンマ参照電圧に対応する一つの緑色画素駆動電圧を生成することを特徴とする請求項２に記載の液晶ディスプレー駆動装置。
【請求項５】
前記青色画素電圧生成ユニットは、複数の青色画素電圧生成サブユニットを含み、各青色画素電圧生成サブユニットのそれぞれがガンマ参照電圧に対応する一つの青色画素駆動電圧を生成することを特徴とする請求項２に記載の液晶ディスプレー駆動装置。
【請求項６】
請求項１乃至請求項５のいずれに記載の前記液晶ディスプレー駆動装置を用いる液晶ディスプレー駆動方法であって、
電圧入力モジュールがガンマ参考電圧を受信するステップ1と、
マルチチャンネルセレクターが駆動される画素の色を受信して、駆動される画素の色に基づいて、赤色画素に対してステップ3を、緑色画素に対してステップ4を、青色画素に対してステップ5を、実行するステップ2と、
マルチチャンネルセレクターが、制御信号を、抵抗チェーンに設置された赤色画素電圧生成ユニットに送信して、赤色画素電圧生成ユニットに前記ガンマ参考電圧に基づいて赤色画素駆動電圧を生成させて電圧出力モジュールによって液晶パネルに送信するステップ3と、
マルチチャンネルセレクターが、制御信号を、抵抗チェーンに設置された緑色画素電圧生成ユニットに送信して、緑色画素電圧生成ユニットに前記ガンマ参考電圧に基づいて緑色画素駆動電圧を生成させて電圧出力モジュールによって液晶パネルに送信するステップ4と、
マルチチャンネルセレクターが、制御信号を、抵抗チェーンに設置された青色画素電圧生成ユニットに送信して、青色画素電圧生成ユニットに前記ガンマ参考電圧に基づいて青色画素駆動電圧を生成させて電圧出力モジュールによって液晶パネルに送信するステップ5と、
を有することを特徴とする液晶ディスプレー駆動方法。
【発明の詳細な説明】
【技術分野】
【０００１】
この発明は、液晶ディスプレー分野に関するものであり、特に液晶ディスプレー駆動装置と駆動方法に関するものである。
【背景技術】
【０００２】
薄膜トランジスタ（TFT）の液晶表示装置（TFT-LCD）は、軽量、低消費電力、無放射などの利点を有し、現代生活において、従来の陰極線管（Cathode Ray Tube，CRT）の表示領域での主導地位を次第に取り替えた。液晶表示の基本原理は、液晶分子が異なる配列状態で光線に対して異なる偏光効果を持するため、異なる配列状態での液晶分子を経由して光線の透過率を制御することができ、このような液晶分子の特性によって異なる階調の赤色光、青色光、緑色光を生成して、液晶ディスプレーに豊富な画像を生成させることである。
【０００３】
TFT-LCD駆動技術の発展につれて、画面品質に対する要求もだんだん高くなっている。その中、色精度（Color Accuracy）は、画面品質を評価するための重要パラメータの一つである。従来の研究から分かるように、カラーシフト（Color Shifting）現象は、TFT-LCD画面の色精度に影響するよくある問題の一つである。カラーシフト現象を生じる主な原因は、液晶分子の赤色光、青色光及び緑色光に対する透過特性において差があり、もし三つの色の光に対して同一のガンマ電圧を用いれば、最終に合成されたグレーレベルが目標ガンマ曲線に合わせるが、三つの光のガンマ曲線が重ならない。これは所謂カラーシフト現象という。図6は従来技術によるカラーシフト現象の概略図であり、その中、縦軸が透過率を、横軸がグレーレベルを示す。図6から分かるように、同一ガンマ電圧を用いる時、同じグレーレベルに対して、赤色光11の透過率、青色光12の透過率及び緑色光13の透過率は、理想値と異なる。カラーシフト現象が酷くなると、画面が青色又は赤色に偏る現象がよく現れ、画面品質に深刻に影響する。
【発明の概要】
【発明が解決しようとする課題】
【０００４】
このような問題について、従来技術においていろいろな解決方案を提出した。解決方案の一つは、精密色捕捉（Accurate Color Capture，ACC）方案であり、赤色光、青色光、緑色光のレベルを調整することにより、三つの色の光のガンマ曲線を近似に一致させる。当該方案は、ある程度カラーシフト現象を改善したが、調整の精度が高くないほか、シーケンスコントローラの中に新しい機能モジュールを加える必要がありため、生産プロセスの複雑度を増加するとともに、生産コストも増加する。他の解決方案は、三つの抵抗チェーンを用いて三つの色の光を別々に調整することである。図7は従来技術に係る三つの抵抗チェーンを採用する方案の構成概略図である。当該方案は、三つの抵抗チェーン、即ち、第1抵抗チェーン21と、第2抵抗チェーン22と、第3抵抗チェーン23とを含み、各抵抗チェーンのそれぞれが、一つの色の画素の駆動電圧の出力に対応する。しかし、当該方案は、ソースドライブICの内部で三つの抵抗チェーンを設ける必要があるため、設計の複雑化を引き起こすほか、コストも大幅に増大させる。
【課題を解決するための手段】
【０００５】
本発明の目的は、一つの抵抗チェーンによって三つの色の画素駆動電圧を生成する液晶ディスプレー駆動装置と駆動方法を提供することにあり、構成が簡単、低コストなどの利点を有する。
上記の目的を達成するために、本発明の液晶ディスプレー駆動装置は、ガンマ参考電圧を受信するための電圧入力モジュールと、上記電圧入力モジュールに接続されて、一つの抵抗チェーンによって、ガンマ参考電圧と駆動される画素の色に基づいて対応する色の画素駆動電圧を生成するための電圧生成モジュールと、上記電圧生成モジュールに接続されて、上記対応する色の画素駆動電圧を液晶パネルに送信するための電圧出力モジュールと、を備える。
【０００６】
上記電圧生成モジュールは、複数の抵抗を直列接続して構成され、入力端が上記電圧入力モジュールに接続される一つの抵抗チェーンと、上記抵抗チェーンに設置され、ガンマ参考電圧に基づいて赤色画素駆動電圧を生成するための赤色画素電圧生成ユニットと、上記抵抗チェーンに設置され、ガンマ参考電圧に基づいて緑色画素駆動電圧を生成するための緑色画素電圧生成ユニットと、上記抵抗チェーンに設置され、ガンマ参考電圧に基づいて青色画素駆動電圧を生成するための青色画素電圧生成ユニットと、入力端が駆動される色を受信し、出力端が上記赤色画素電圧生成ユニット、上記緑色画素電圧生成ユニット及び上記青色画素電圧生成ユニットにそれぞれ接続され、駆動される画素の色に基づいて、対応する赤色画素電圧生成ユニット、又は緑色画素電圧生成ユニット、又は青色画素電圧生成ユニットをストローブさせて、対応する画素電圧生成ユニットに、対応する色の画素駆動電圧を上記電圧出力モジュールによって液晶パネルに送信するためのマルチチャンネルセレクターと、を備える。
【０００７】
上記赤色画素電圧生成ユニットは、複数の赤色画素電圧生成サブユニットを含み、赤色画素電圧生成サブユニットのそれぞれがガンマ参照電圧に対応する一つの赤色画素駆動電圧を生成する。
上記緑色画素電圧生成ユニットは、複数の緑色画素電圧生成サブユニットを含み、緑色画素電圧生成サブユニットのそれぞれがガンマ参照電圧に対応する一つの緑色画素駆動電圧を生成する。
上記青色画素電圧生成ユニットは、複数の青色画素電圧生成サブユニットを含み、青色画素電圧生成サブユニットのそれぞれがガンマ参照電圧に対応する一つの青色画素駆動電圧を生成する。
【０００８】
上記の目的を達成するために、本発明の液晶ディスプレー駆動方法は、電圧入力モジュールがガンマ参考電圧を受信するステップ1と、マルチチャンネルセレクターが駆動される画素の色を受信して、駆動される画素の色に基づいて、赤色画素に対してステップ3を、緑色画素に対してステップ4を、青色画素に対してステップ5を、それぞれ実行するステップ2と、マルチチャンネルセレクターが、制御信号を、抵抗チェーンに設置された赤色画素電圧生成ユニットに送信して、赤色画素電圧生成ユニットに上記ガンマ参考電圧に基づいて赤色画素駆動電圧を生成させて電圧出力モジュールによって液晶パネルに送信するステップ3と、マルチチャンネルセレクターが、制御信号を、抵抗チェーンに設置された緑色画素電圧生成ユニットに送信して、緑色画素電圧生成ユニットに上記ガンマ参考電圧に基づいて緑色画素駆動電圧を生成させて電圧出力モジュールによって液晶パネルに送信するステップ4と、マルチチャンネルセレクターが、制御信号を、抵抗チェーンに設置された青色画素電圧生成ユニットに送信して、青色画素電圧生成ユニットに上記ガンマ参考電圧に基づいて青色画素駆動電圧を生成させて電圧出力モジュールによって液晶パネルに送信するステップ5と、を含む。
【発明の効果】
【０００９】
本発明は、三つの色の画素駆動電圧をそれぞれ生成する電圧生成ユニットが一つの抵抗チェーンに設置され、マルチチャンネルセレクターが駆動される画素の色に基づいて対応する電圧生成ユニットを選択することによって、対応する電圧生成ユニットに画素駆動電圧を電圧出力モジュールに出力させる液晶ディスプレー駆動装置と駆動方法を提供する。従来技術の精密色捕捉方案に比べて、本発明の調節精度は高い。従来技術の三つの抵抗チェーンの方案に比べて、設計構成が簡単で、生産コストも低い。本発明の液晶ディスプレー駆動装置と駆動方法は、カラーシフト現象を効率に解消して、TFT-LCDの画面品質を向上させる。
【図面の簡単な説明】
【００１０】
【図１】本発明に係る液晶ディスプレー駆動装置の構成概略図である。
【図２】本発明に係る電圧生成モジュールの構成概略図である。
【図３】本発明に係る電圧生成モジュールの実施構成の一例の概略図である。
【図４】本発明に係る液晶ディスプレー駆動方法のフローチャートである。
【図５】本発明に係る画素駆動電圧出力の概略図である。
【図６】従来技術によるカラーシフト現象を示す図である。
【図７】従来技術に係る三つの抵抗チェーンを用いる方案の構成概略図である。
【発明を実施するための形態】
【００１１】
これより、図面と実施形態を参照しながら、本発明の技術方案を更に詳細に説明する。
図1は本発明に係る液晶ディスプレー駆動装置の構成概略図である。液晶ディスプレーは、図1に示すように、ガンマ参考電圧を受信するための電圧入力モジュール1と、電圧入力モジュール1に接続されて、一つの抵抗チェーンによって、入力されたガンマ参考電圧と駆動される画素の色に基づいて対応する色の画素駆動電圧を生成するための電圧生成モジュール2と、電圧生成モジュール2に接続されて、対応する色の画素駆動電圧を液晶パネルに送信するための電圧出力モジュール3と、を備える。
【００１２】
図2は本発明に係る電圧生成モジュールの構成概略図である。図2に示すように、電圧生成モジュールの主な構成は一つの抵抗チェーン21である。抵抗チェーン21は、複数の抵抗を直列接続して構成され、入力端が電圧入力モジュール1に接続され、抵抗チェーン21において赤色画素電圧生成ユニット22、緑色画素電圧生成ユニット23及び青色画素電圧生成ユニット24がそれぞれ設置される。赤色画素電圧生成ユニット22がガンマ参考電圧に基づいて赤色画素駆動電圧を、緑色画素電圧生成ユニット23がガンマ参考電圧に基づいて緑色画素駆動電圧を、青色画素電圧生成ユニット24がガンマ参考電圧に基づいて青色画素駆動電圧を、それぞれ生成する。マルチチャンネルセレクター25の入力端は駆動される画素の色を受信し、マルチチャンネルセレクター25の出力端は、赤色画素電圧生成ユニット22、緑色画素電圧生成ユニット23及び青色画素電圧生成ユニット24にそれぞれ接続され、ガンマ参考電圧と駆動される画素の色に基づいて、対応する赤色画素電圧生成ユニット22、又は緑色画素電圧生成ユニット23、又は青色画素電圧生成ユニット24をストローブさせて、対応する電圧生成ユニットに対応する色の画素駆動電圧を電圧出力モジュールによって液晶パネルに送信する。
【００１３】
具体的には、画素電圧生成ユニットのそれぞれが抵抗チェーン21に設置される複数の画素電圧生成サブユニットにより構成される。例えば、赤色画素電圧生成ユニット22は、抵抗チェーン21に設置される複数の赤色画素電圧生成サブユニットにより構成され、例えば、赤色画素電圧生成サブユニット22a、赤色画素電圧生成サブユニット22b、・・・、赤色画素電圧生成サブユニット22nを含む。赤色画素電圧生成サブユニットのそれぞれは、設置された位置（即ち、抵抗チェーンでの抵抗値の大小）に基づいて、ガンマ参考電圧に応じた赤色画素駆動電圧を生成されて液晶パネルでの赤色画素を駆動する。同様に、緑色画素電圧生成ユニット23は、緑色画素電圧生成サブユニット23a、23b、・・・、23nを含み、緑色画素電圧生成サブユニットのそれぞれは、設置された位置に基づいて、ガンマ参考電圧に応じた緑色画素駆動電圧を生成されて液晶パネルでの緑色画素を駆動する。青色画素電圧生成ユニット24は、青色画素電圧生成サブユニット24a、24b、・・・、24nを含み、青色画素電圧生成サブユニットのそれぞれは、設置された位置に基づいて、ガンマ参考電圧に応じた青色画素駆動電圧を生成されて液晶パネルでの青色画素を駆動する。
【００１４】
本発明によって、電圧入力モジュール1のガンマ参考電圧が抵抗チェーン21に印加され、抵抗チェーン21に順次に設置される複数の赤色画素電圧生成サブユニット、緑色画素電圧生成サブユニット、青色画素電圧生成サブユニットが対応する画素駆動電圧を生成する。マルチチャンネルセレクター25は、駆動される画素の色を受信した後、まず駆動される画素の色に基づいて対応する色の電圧生成ユニット、例えば、赤色画素電圧生成ユニット22を選択し、そして、ガンマ参考電圧に基づいて、赤色画素電圧生成ユニット22の中でガンマ参考電圧に対応する赤色画素電圧生成サブユニット、例えば、赤色画素電圧生成サブユニット22aをストローブさせて、最終に電圧出力モジュール3によって赤色画素電圧生成サブユニット22aの赤色画素駆動電圧が液晶パネルに送信される。
【００１５】
図3は本発明の電圧生成モジュールの実施構成の一例の概略図である。画素のそれぞれが赤色画素R、緑色画素G及び青色画素Bにより構成されるため、64グレーレベルを提供する必要があるとき、本実施構成は、一つの抵抗チェーンで192個の出力端を切り出し、64個のグレーレベルの中で、各グレーレベルのそれぞれが三つの出力端に対応する。例えば、第1グレーレベルが赤色画素出力端VR1、緑色画素出力端VG1及び青色画素出力端VB1に対応する。言い換えれば、色毎に64個の出力端と対応する。例えば、赤色は、第1グレーレベル出力端VR1、第2グレーレベル出力端VR2、・・・、第64グレーレベル出力端VR64と対応する。抵抗チェーンの入力端はガンマ参考電圧であり、一般的な数量が10〜18個で、本実施例では10個であり、即ち、第1ガンマ参考電圧入力端VG1、第2ガンマ参考電圧入力端VG2、・・・、第10ガンマ参考電圧入力端VG10である。実際の使用中、画素駆動電圧が正極性と負極性に分けられ、本実施例は、画素駆動電圧中の一種類の極性の場合だけを示す。
【００１６】
本発明の上記技術方案は、三つの色の画素駆動電圧をそれぞれ生成する電圧生成ユニットが一つの抵抗チェーンに設置され、マルチチャンネルセレクターが駆動される画素の色に基づいて対応する電圧生成ユニットを選択することによって、対応する電圧生成ユニットに画素駆動電圧を電圧出力モジュールに出力させる液晶ディスプレー駆動装置を提供する。従来技術の精密色捕捉方案に比べて、本発明の調節精度は高い。従来技術の三つの抵抗チェーンの方案に比べて、設計構成が簡単で、生産コストも低い。本発明の液晶ディスプレー駆動装置は、カラーシフト現象を効率に解消して、TFT-LCDの画面品質を向上させる。
【００１７】
図4は本発明に係る液晶ディスプレー駆動方法のフローチャートであり、具体的には、電圧入力モジュールがガンマ参考電圧を受信するステップ1と、マルチチャンネルセレクターが駆動される画素の色を受信して、駆動される画素の色に基づいて、赤色画素に対してステップ3を、緑色画素に対してステップ4を、青色画素に対してステップ5を、実行するステップ2と、マルチチャンネルセレクターが、制御信号を、抵抗チェーンに設置された赤色画素電圧生成ユニットに送信して、赤色画素電圧生成ユニットに上記ガンマ参考電圧に基づいて赤色画素駆動電圧を生成させて電圧出力モジュールによって液晶パネルに送信するステップ3と、マルチチャンネルセレクターが、制御信号を、抵抗チェーンに設置された緑色画素電圧生成ユニットに送信して、緑色画素電圧生成ユニットに上記ガンマ参考電圧に基づいて緑色画素駆動電圧を生成させて電圧出力モジュールによって液晶パネルに送信するステップ4と、マルチチャンネルセレクターが、制御信号を、抵抗チェーンに設置された青色画素電圧生成ユニットに送信して、青色画素電圧生成ユニットに上記ガンマ参考電圧に基づいて青色画素駆動電圧を生成させて電圧出力モジュールによって液晶パネルに送信するステップ5と、を備える。
【００１８】
本発明のワークフローは、前に詳細に紹介したため、ここで重複した説明を省略する。図5は、本発明の画素駆動電圧出力の概略図であり、その中、縦軸が透過率を示し、横軸がグレーレベルを示す。図5から分かるように、異なる色に対して異なるガンマ電圧を採用する場合、同一グレーレベルに対して、実線で表わす赤色光の透過率と、破線で表わす青色光の透過率と、点線で表わす緑色光の透過率とがほぼ同じとなり、カラーシフト現象を有効に解消して、画面品質を向上させる。
【００１９】
本発明の液晶ディスプレー駆動方法は、本発明の液晶ディスプレー駆動装置を採用して、三つの色の画素駆動電圧をそれぞれ生成する電圧生成ユニットが一つの抵抗チェーンに設置され、マルチチャンネルセレクターが駆動される画素の色に基づいて対応する電圧生成ユニットを選択することによって、対応する電圧生成ユニットに画素駆動電圧を電圧出力モジュールに出力させる。従来技術の精密色捕捉方案に比べて、本発明の調節精度は高い。従来技術の三つの抵抗チェーンの方案に比べて、設計構成が簡単で、生産コストも低い。
【００２０】
最後に説明すべきは、以上の実施形態は、本発明の技術的方案を説明するためのものであって、限定を目的としないということである。前記の実施形態にしたがって本発明を詳細に説明したが、前記の実施形態に記載の技術的方案を修正したり、その部分的な技術的特徴を均等物に取り替えたりすることができ、その修正や取替えは該当する技術的方案の本質が本発明の実施形態の技術的方案の趣旨と範囲を逸脱することに繋がらないことは当業者にとって理解するところである。
【符号の説明】
【００２１】
1  電圧入力モジュール
2  電圧生成モジュール
3  電圧出力モジュール
21  抵抗チェーン
22a，22b，22n  赤色画素電圧生成サブユニット
23a，23b，23n  緑色画素電圧生成サブユニット
24a，24b，24n  青色画素電圧生成サブユニット
25  マルチチャンネルセレクター
【図１】
2009251616.tif 000003
【図２】
2009251616.tif 000004
【図３】
2009251616.tif 000005
【図４】
2009251616.tif 000006
【図５】
2009251616.tif 000007
【図６】
2009251616.tif 000008
【図７】
2009251616.tif 000009